Podtech/llm-jp-corpus-v4-ja_patent huggingface dataset:
(57)【要約】本発明は、農業の分野、より具体的には、廃水スラッジを含む有機無機肥料混合物を製造するための方法に関する。本方法は、廃水スラッジと、１００ミクロンを越えない粒子サイズを有する微粉化した画分の形態のフミン酸ナトリウムをスラッジの質量の少なくとも１０％の量で含有する解毒剤を混合することを含む。本発明は、廃水スラッジの重金属含有量を減少させることにより、肥料として廃水スラッジを使用することの有効性を増加させるために使用することができる。【特許請求の範囲】
【請求項１】
１００μmより大きくない粒子を有し、そしてスラッジ質量の少なくとも１０％の量で高度に分散したフミン酸ナトリウムが解毒剤として使われることを特徴とする、解毒剤を都市廃水スラッジと混合することを含む、無機有機肥料混合物の製造に用いられる方法。
【発明の詳細な説明】
【技術分野】
【０００１】
本発明は、農業及び、特に廃水スラッジに基づく肥料を製造するために使用される方法に関する。
【０００２】
廃水スラッジから製造され、農業に用いられる肥料は、他の農業肥料の間で競争力を持つようになることができる。廃水スラッジは、糞便の有機物を３０〜４０％（無水ベース）、無機養素（Ｎｔｏｔａｌ−０．６〜４．３％、Р２О５−１．２〜４．５％等）を含み、高い施肥能力を有している。
【０００３】
有機肥料としての廃水スラッジの使用は、土壌の無機及び有機バランスを回復することに寄与する。荒れた土地を再び耕すときのスラッジの使用は、肥沃な土壌層の課題を解決して、それらを経済循環に戻すことを可能にする。
【０００４】
しかしながら、重金属及び他の毒性物質による廃水スラッジの汚染は、それらの利用を制限し、そしてそれらを国家経済において最も問題のある廃棄物の１つとする。
【０００５】
活性スラッジバイオマス及び部分的に可溶性のカルシウムを含む無機物を用いて、それらに含まれる重金属を減少することによる、廃水スラッジに基づく肥料を製造するために用いられる公知の方法がある。重金属は、浄化方法を用いる混合及び相分離の結果として、水媒質から除去される。およそ１０〜２５kg/m3のカルシウム含有材料がスラッジに加えられ、そして、混合はエアレーションの助けを借りて１〜４時間以内で実施される（ＲＦ特許番号２２０９２３７  СО２Ｆ１１／１４）。しかしながら、重金属の除去の効率及び水媒質から分離される重金属の利用の双方に関して、著者はいかなる比較データをも提示していない。
【０００６】
対応して、無水ベースで０．５〜５．０％のバイオマス濃度を有する活性スラッジ懸濁液と泥炭を、１：１〜１：８の「活性スラッジ−泥炭」比率で混合することを含む、肥料の製造のための他の公知の方法もある。活性スラッジは５〜１５時間以内で培養され、そしてその灰分は１５〜４５％である（著者の証明書  Ｎ  １５３２５５１、СО  ５Ｆ  ７／００、  СО  ５Ｆ  １１／１２）。
【０００７】
しかしながら、廃水スラッジが土壌に加えられるときに、不安定な重金属は植物に移動することがある。上記の証明書には、泥炭によって吸収される重金属の結合力がどのくらい高いかという情報はない。
【０００８】
該原型は、都市廃水スラッジと最高２mmの画分を有する、解毒剤として使用するモルデナイト含有凝灰岩を混合することを伴う、無機有機肥料混合物の製造方法を表す。したがって、最高５mmの画分を有する廃水スラッジは、１：１〜２の比率で凝灰岩と混合される（ＲＰ特許番号２１９７４５２  С  ０５  Ｆ  ７／００）。都市廃水スラッジの解毒は、モルデナイト含有凝灰岩の高い収着特性のために起こる。そのうえ、この場合、スラッジ肥料を農地に適用するときに、重金属の脱着が、許容濃度限度の超過をもたらしうることは十分に可能である。未処理のスラッジ中の、及びモルデナイト含有凝灰岩が使用された後の重金属の存在について、著者はいかなるデータをも提供していない。植物中の重金属の存在に関しても、データはない。
【０００９】
本発明の目的は、解毒剤と重金属との結合力をより高くすることで廃水スラッジの解毒効率を上昇させ、そして同時に肥料混合物の質をより高くすることである。
【００１０】
廃水スラッジと解毒剤を混合することを含む方法において、技術的な結果は、１００μmより大きくない粒子を有し、そしてスラッジ質量の少なくとも１０％の量で高度に分散したフミン酸ナトリウムを用いて達成される。
【００１１】
フミン酸ナトリウムを使用する有効性は、多数のそれらの反応性官能基を有するフミン酸が、重金属イオンとの反応を開始し、それらの不溶性安定化合物を形成するという事実に基づく。
【００１２】
フミン酸の可溶性塩（フミン酸塩）は、以下に示されるように重金属カチオンと相互作用し、水溶性のフミン酸塩を形成する：
【化１】
2012530043.tif 000002
【００１３】
特定の相互作用は、集中的であり、そして不溶性安定化合物の形成をもたらす。最も危険な環境汚染物と考えられる重金属：亜鉛、ニッケル、銅、鉛、クロムなどの大多数について、そのような関係は一般的である。イオン交換相互作用に加えて、フミン酸は重金属と錯体化反応を始め、重金属をそれらの組成に強く固定する無機有機配位子を形成する。実験では、重金属及びフミン酸がもたらした化合物の高い時間安定性を確認した。
【００１４】
フミン酸塩は無機肥料のより高い取り込み強度に寄与する、植物成長と発育のレギュレータであるので、肥料混合物にフミン酸塩を加えることは、後者の質を改善することも可能にする。
【００１５】
請求された方法は、以下の実験例によって確認される：
【００１６】
実施例Ｎ１
Dzerzhinsk（モスクワ州）のエアレーション・ステーションからの廃水スラッジが、原材料として用いられる。解毒するために、スラッジ質量の少なくとも１０％の量で１００μmの粒子を有するフミン酸ナトリウムが、任意のミキサー中に加えられ、そして混合されて、完全に均質な混合物を与える。混合するときに、フミン酸ナトリウムはスラッジからの重金属と相互作用し、移動することができなくなる。
【００１７】
実施例Ｎ２
使用したフミン酸ナトリウムの量がスラッジ質量の２０％である以外は実施例Ｎ１にて説明したものと同じ手順で行った。
【００１８】
重金属の固定についてのフミン酸ナトリウムの影響を確認するための、実施された実験の結果は、下記の表に示される：
【００１９】
【表１】
2012530043.tif 000003
【国際調査報告】
2012530043.tif 000004
2012530043.tif 000005
(57)【要約】  水中油型エマルションを含むリーブオン・ヘア・ケア組成物であって、このエマルションが、８０００００から５００００００ｃＳｔの分子量を有するシリコーンゴム、非イオン性またはアニオン性多糖類およびシリコーンゴムのための低分子量溶媒を含む、組成物。【特許請求の範囲】
【請求項１】
水中油型エマルションを含むリーブオン・ヘア・ケア組成物であって、このエマルションが、８０００００から５００００００ｃＳｔの分子量を有するシリコーンゴム、非イオン性またはアニオン性多糖類およびシリコーンゴムのための低分子量溶媒を含む、組成物。
【請求項２】
低分子量溶媒が、シリコーン、例えば低分子量シリコーン、３から６個の炭素を有する環状シリコーン、１６個以下の炭素を有する炭化水素、およびフェニルトリメチコンから選択される、請求項１に記載の組成物。
【請求項３】
多糖類が、キサンタン、カラギーナン、ヒドロキシエチルセルロースおよびこれらの誘導体である、請求項１または２に記載の組成物。
【請求項４】
エマルションが、１から５０、より好ましくは２から２５、および最も好ましくは３から２４ミクロンの平均サイズの液滴を含む、請求項１から３のいずれか一項に記載の組成物。
【請求項５】
４重量％未満のシリコーンを含む、請求項１から４のいずれか一項に記載の組成物。
【請求項６】
５重量％未満のアニオン性界面活性剤を含む、請求項１から５のいずれか一項に記載の組成物。
【発明の詳細な説明】
【技術分野】
【０００１】
本発明は、毛髪の光沢を得るための組成物に関する。
【背景技術】
【０００２】
先行技術にも拘わらず、光沢のある毛髪を生み出すために魅力的なリーブオン・ヘア・ケア組成物が必要とされ続けている。
【発明の概要】
【課題を解決するための手段】
【０００３】
従って、本発明の第１の態様において、本発明は、請求項１に記載のヘアケア組成物を提供する。
【発明を実施するための形態】
【０００４】
このような多糖類を用いて、高レベルのシリコーンを用いることなく、より大きな整髪特性を有する組成物を得ることができる。この組成物はまた、良好な光沢および触感性質を得ることができる。
【０００５】
シリコーンの粘度は、１００ｒｐｍにてスピンドル番号４を用いるブルックフィールドＲＶ４粘度計にて２５℃で測定される。
【０００６】
好ましくは、低分子量溶媒は、シリコーン、例えば低分子量シリコーン、例えば１０ｃＳｔ以下の粘度を有するジメチコン；３から６個の炭素を有する環状シリコーン、例えばペンタシロキサン；１６個以下の炭素を有する炭化水素、例えばイソドデカン、イソパラフィン、（Ｃ１３−１６）；またはフェニルトリメチコンから選択される。
【０００７】
好ましくは、多糖類は、キサンタン、カラギーナン、ヒドロキシエチルセルロースおよびこれらの誘導体である。
【０００８】
好ましくは、多糖類は、組成物の０．１から５重量％、より好ましくは０．１５から０．８重量％で存在する。
【０００９】
好ましくは、エマルションは、１から５０、より好ましくは２から２５、および最も好ましくは３から２４ミクロンの平均サイズを有する液滴を含む。
【００１０】
好ましくは、本発明に記載の組成物は、４重量％未満のシリコーン、より好ましくは２重量％未満のシリコーンを含む。
【００１１】
本発明に記載の組成物は、好ましくはセラム組成物であり、５重量％未満のアニオン性界面活性剤、およびより好ましくは２重量％のアニオン性界面活性剤を含む。
【００１２】
本発明に記載の組成物は、水を含む。好ましくは、組成物は、１０から９０重量％の水、より好ましくは２５から７５重量％の水を含む。
【００１３】
リーブオン組成物は、適用後に洗浄され、またはすすがれる組成物とは対照的に、適用後に毛髪に残ることを目的とする組成物である。
【００１４】
第２の態様において、本発明は、第１の態様に記載の組成物を毛髪に適用することによって整髪を達成するための方法を提供する。
【００１５】
本発明の実施形態を、ここで次の非限定的な例を参照して記載する。
【実施例１】
【００１６】
以下は、本発明の実施形態に記載の処方例である。これらは標準方法によって製造される。
【００１７】
【表１】
2012508716.tif 000002
太文字で示される成分は油相を表す。
【実施例２】
【００１８】
整髪のｅ−パネルデータ。この処方例およびコントロールセラムで処理された毛髪の写真を撮影し、整髪性の測定のために使用した。写真は、確立された整髪のプロトコルに従って、本発明者らの実験室からのボランティアパネルによって整髪性について評価した。
【００１９】
【表２】
2012508716.tif 000003
【００２０】
セラムＡは、９．３重量％のシリコーンを含むＳｕｎｓｉｌｋセラムである。
【００２１】
セラムＢは、６．９重量％のシリコーンを含むＣｈａｒｌｅｓ  Ｗｏｒｔｈｉｎｇｔｏｎの「Ｒｅａｌｌｙ  Ｓｈｉｎｙ  Ｇｌｏｓｓ  Ｐｏｌｉｓｈ」セラムである。
【国際調査報告】
2012508716.tif 000004
2012508716.tif 000005
2012508716.tif 000006
2012508716.tif 000007
(57)【要約】ダイカスト部品を製造するための良好な電気伝導性と良好な熱伝導性を有するアルミニウム合金であって、シリコン８．０〜９．０重量％、鉄０．５〜０．７重量％、銅０．０１０重量％以下、マグネシウム０．０１０重量％以下、マンガン０．０１０重量％以下、クロム０．００１重量％以下、チタン０．０２０重量％以下、バナジウム０．０２０重量％以下、亜鉛０．０５重量％以下、ストロンチウム０．０１０〜０．０３０重量％を含み、残部がアルミニウムと、それぞれ０．０５重量％以下、合計で０．２重量％以下のさらなる元素と製造起因不純物とからなるアルミニウム合金に関する。該合金は、ダイカスト工程で電気伝導性と熱伝導性に優れた部品を製造するのに特に適している。【特許請求の範囲】
【請求項１】
ダイカスト部品を製造するための良好な電気伝導性と良好な熱伝導性を有するアルミニウム合金であって、
シリコン        ８．０〜９．０重量％
鉄              ０．５〜０．７重量％
銅              ０．０１０重量％以下
マグネシウム    ０．０１０重量％以下
マンガン        ０．０１０重量％以下
クロム          ０．００１重量％以下
チタン          ０．０２０重量％以下
バナジウム      ０．０２０重量％以下
ストロンチウム  ０．０１０〜０．０３０重量％
を含み、残部がアルミニウムと、それぞれ０．０５重量％以下、合計で０．２重量％以下のさらなる元素と製造起因不純物とからなるアルミニウム合金。
【請求項２】
マンガン、チタン、バナジウム、クロム元素の合計が０．０２重量％以下である請求項１に記載のアルミニウム合金。
【請求項３】
ダイカストで製造され、良好な電気伝導性と良好な熱伝導性を有する部品、特に、電子部品用冷却要素としての請求項1又は２に記載のアルミニウム合金の使用。
【請求項４】
良好な耐熱性、良好な電気伝導性及び良好な熱伝導性を有する、請求項１〜３のいずれかに記載のアルミニウム合金からなるダイカスト部品。
【発明の詳細な説明】
【技術分野】
【０００１】
本発明は、ダイカスト部品を製造するための、良好な電気伝導性と良好な熱伝導性を有するアルミニウム合金に関する。
【背景技術】
【０００２】
ＢＳ１４９０（ＡＣ４７０００、ＡｌＳｉｌ２（Ｃｕ））による標準合金ＬＭ６は、ダイカストで製造された、良好な電気伝導性と良好な熱伝導性を有する部品、例えば、自動車の電子機器の覆いとして用いられる冷却要素等に日常的に使用される。
【発明の概要】
【０００３】
本発明の目的は、ダイカストに適し、先行技術から公知の合金と比較して、改良された電気伝導性と熱伝導性を有するアルミニウム合金を提供することである。
【０００４】
本発明の目的は
シリコン        ８．０〜９．０重量％
鉄              ０．５〜０．７重量％
銅              ０．０１０重量％以下
マグネシウム    ０．０１０重量％以下
マンガン        ０．０１０重量％以下
クロム          ０．００１重量％以下
チタン          ０．０２０重量％以下
バナジウム      ０．０２０重量％以下
亜鉛            ０．０５重量％以下
ストロンチウム  ０．０１０〜０．０３０重量％
を含み、残部がアルミニウムと、それぞれ０．０５重量％以下、合計で０．２重量％以下のさらなる元素と製造起因不純物とからなる合金によって達成される。
【０００５】
本発明による合金の好ましい一態様では、マンガン、チタン、バナジウム、クロム元素の合計が０．０２％重量％以下である。
【０００６】
本発明のアルミニウム合金の好ましい応用分野としては、例えば、電子部品の冷却要素等の、良好な電気伝導性と良好な熱伝導性を有する部品のダイカストによる製造である。
【０００７】
本発明のさらなる利点、特徴及び詳細を、下記の好ましい実施例の記載で、２つの比較例を用いて説明する。
【発明を実施するための最良の形態】
【０００８】
表１に示した組成を有する本発明による合金Ａと２つの比較例の合金Ｂ及びＣを、溶融温度６６０℃から始めて金型温度１５０℃でダイカストにより鋳造し、２．２ｋｇの重さの電子部品用冷却要素を製造した。ダイカスト金型から取り外した後、これらの供試体を静止大気中で冷却した。
【０００９】
電気伝導率をダイカスト部品の２つの異なる測定ポイントＭ１とＭ２で測定した。表２に示した結果は、比較例の合金Ｂと登録標準合金Ｃ（ＢＳ１４９０によるＬＭ６，ＡＣ４７０００，ＡｌＳｉｌ２（Ｃｕ））に対して、本発明による合金Ａが優れていることを示す。比較例の合金Ｂはシリコン含量が高い点において、本発明による合金Ａとは本質的に異なる。
【００１０】
表３は本発明による合金Ａから作られたダイカスト部品と比較例の合金Ｃから作られたダイカスト部品の熱伝導率の測定結果を示す。比較例の合金Ｃと比較して、本発明による合金Ａは３０〜４０％高い熱伝導率を示す。
【表１】
2012519772.tif 000002
【表２】
2012519772.tif 000003
【表３】
2012519772.tif 000004
【国際調査報告】
2012519772.tif 000005
2012519772.tif 000006
2012519772.tif 000007
2012519772.tif 000008
(57)【要約】酒さのような血管障害及び光線過敏性障害に関して選択的であり、血管拡張及び皮膚の発赤反応を低減する、クリーム、ゲル、軟膏、溶液、乳剤、リポソーム及びマイクロカプセルの形態で局所に適用するためのペントキシフィリンに基づく皮膚用医薬組成物。【特許請求の範囲】
【請求項１】
酒さ血管障害及び光線過敏性障害に関して選択的であり、血管を縮小させ、皮膚の発赤反応を低減する、クリーム、ゲル、軟膏、溶液の形態、乳剤、リポソーム及びマイクロカプセル中で皮膚に適用するためのペントキシフィリンに基づく皮膚用医薬組成物であって、ペントキシフィリン１％〜９９％、クリーム基剤０．１％〜８０％及びリポソーム０．１％〜７５％からなることを特徴とする組成物。
【請求項２】
組成物がペントキシフィリン９０％及びクリーム基剤５％及びリポソーム５％を含有することを特徴とする、請求項１記載の皮膚用医薬組成物。
【請求項３】
組成物がペントキシフィリン９５％及びクリーム基剤５％を含有することを特徴とする、請求項１記載の皮膚用医薬組成物。
【請求項４】
ペントキシフィリン８０％、クリーム基剤１０％及びリポソーム１０％を含有することを特徴とする、請求項１記載の皮膚用医薬組成物。
【請求項５】
組成物が、酒さ及び光線過敏性障害並びに皮膚の血管変化に関する薬物による皮膚の処置に使用されることを特徴とする、請求項１、２、３及び４記載の皮膚用医薬組成物。
【発明の詳細な説明】
【技術分野】
【０００１】
発明の背景
特許が請求されている本発明は、クリーム、ゲル、軟膏、溶液の形態、乳剤、リポソーム及びマイクロカプセル状で皮膚に適用する、酒さ血管障害及び光線過敏性障害に関して選択的であり、血管を縮小させ、皮膚の発赤反応を低減するペントキシフィリンに基づく皮膚用医薬組成物に関する。
【０００２】
現在、酒さ関連の血管障害用には、局所用メトロニダゾールがあり、その組成は：
−  ゲル：１００ｇ中、メトロニダゾール０．７５ｇ、ビヒクル（c. s.）を含有
−  皮膚用クリーム：１００ｇ中、メトロニダゾール０．７５ｇ、ビヒクル（c. s.）を含有。
−  Forte クリーム：１００ｇ中、メトロニダゾール１ｇ、ビヒクル（c. s.）を含有。
【０００３】
メトロニダゾールは、炎症性の丘疹及び膿疱、及び酒さ様紅斑の処置に優れている。局所的処置により、中程度もしくは重症の形態（丘疹、膿疱、及び紅斑）における酒さの臨床的徴候を緩和する。
【０００４】
医療用の説明書によれば、常用量は、Geloderm Forteクリームを１日２回、８週間適用する（１回の適用は、薄いフィルム状で、優しくマッサージする）が、治療効果は、３週間までに現れ始める。薬剤は、患部を必ず清潔にしてから適用する。
【０００５】
メトロニゾールの副作用
過敏性の反応が起こる場合がある。粘膜と接触すると、局部的な刺激、炎症、掻痒、発赤、浸出、及び乾燥皮膚を引き起こす場合がある。メトロニダゾールの経口投与による体内吸収は最小限であり、その影響の可能性は極めて低いものの、その経口投与に関する影響の報告を無視すべきではない。
【０００６】
ペントキシフィリンは、末梢血管疾患において使用される。手足の慢性動脈閉塞症、脳血管不全関連の間欠性跛行の外科的処置のための補助薬としてである。
【０００７】
敗血症は、感染因子が血流に達することによって起こる血液の中毒である。一般に、新生児、特に早産児（３７週未満）の新生児に発生すると致命的である。抗生物質に対する耐性の発現が、敗血症を有効に治療することをより困難にしてきた。ペントキシフィリンは、敗血症及び敗血症に起因する合併症を軽減することができる抗炎症薬剤である。見直しにより、ペントキシフィリンを抗生物質と組み合わせると、副作用を招くことなく、新生児における敗血症による死亡率を減少させることができることが裏付けられた。ペントキシフィリン及び新生児における敗血症に使用可能な他の抗炎症性薬剤に関するさらなる研究を実施することが必要である。
【０００８】
本発明の主たる目的は、ペントキシフィリンに基づく皮膚用薬剤としての組成物であって、任意の形態で、ペントキシフィリンと溶液又はクリーム基剤とのその適切な組成物又は混合物は、酒さ及び光線過敏性障害並びに皮膚の血管変化を解決し、また実際にその処置を向上させる。
【０００９】
光線過敏性は、外部の又は内因性感作因子の作用に暴露された特定の個人に認められる光放射に対する皮膚の過敏性を意味する。
【００１０】
発明の説明
上記に鑑み、本発明の好ましい実施形態を幾つか示す；得られる製品の粘度を変更できる可能性がある。
【００１１】
実施例１：
配合：
ペントキシフィリン        ５％
クリーム基剤            ７０％
リポソーム              ２５％
【００１２】
実施例２：
配合：
ペントキシフィリン        ５％
クリーム基剤            ９５％
【００１３】
実施例  ３：
配合：
ペントキシフィリン        １％
クリーム基剤            ９０％
リポソーム                ９％
【００１４】
実施例４：
配合：
ペントキシフィリン      １０％
クリーム基剤            ８０％
リポソーム              １０％
【００１５】
皮膚に適用するための、液体、ゲル、軟膏、溶液の形態、乳剤、リポソーム及びマイクロカプセル状の皮膚用クリームを得るためのペントキシフィリンに基づく組成物は、以下のとおりである：ペントキシフィリン１％〜９９％、クリーム基剤０．１％〜８０％及びリポソーム０．１％〜７５％。
【国際調査報告】
2012502068.tif 000002
2012502068.tif 000003
2012502068.tif 000004
2012502068.tif 000005
(57)【要約】  カルノソールは、植物抽出物と酢酸を接触させ、そのようにして形成された結晶を回収することによって、抽出物から結晶化することができる。【特許請求の範囲】
【請求項１】
カルノソール結晶を得る方法であって、カルノソールを少なくとも５％含む溶液と酢酸を接触させるステップを含む方法。
【請求項２】
前記溶液が植物抽出物を含む、請求項１に記載の方法。
【請求項３】
前記植物抽出物がローズマリー抽出物である、請求項１または２に記載の方法。
【請求項４】
そのようにして形成された前記結晶を前記溶液から分別するステップをさらに含む、請求項１から３のいずれか一項に記載の方法。
【請求項５】
酢酸と接触させる前に、前記植物抽出物中に含まれるカルノシン酸の少なくとも一部をカルノソールに変換する、請求項２から４のいずれか一項に記載の方法。
【請求項６】
請求項１から５のいずれか一項によって生成されたカルノソール結晶の栄養補助食品、薬剤成分、化粧品原料、抗酸化剤、または食品成分としての使用。
【発明の詳細な説明】
【発明の詳細な説明】
【０００１】
［技術分野］
本発明は、カルノソールを溶液から結晶化する方法に関する。
【０００２】
［背景技術］
カルノソールは、セージ、グリークセイジ（Ｇｒｅｅｋ  ｓａｇｅ）、最も著しくはローズマリーなど、いくつかの植物種中の天然化合物である。最近、その生物活性についての研究がいくつかなされている。例えば、前立腺癌に対するその使用が記載されている国際公開第０７／１３１７６７号パンフレット、および神経伝達異常を伴う障害を改善するための使用が記載されている国際公開第０８／０６１７５５号パンフレットを参照のこと。
【０００３】
市販のローズマリー粗抽出物は、一般にアビエタン約２０％〜６０％（カルノソールは一部にすぎない）、および主に未知の構造を有する様々な多くの化合物約１〜８０％を含有する。カルノソールを単離するために、多段階プロセスがしばしば使用され、これによって最終生成物の経費がかさむ。
【０００４】
さらに、アセトンなど、食品加工を可能にする通常使用される多くの有機溶媒（食品用溶媒）では、カルノソールをローズマリー抽出物から結晶化することは可能でなく、または（例えば、エタノールからは）少量しか結晶化することができず、カルノソールをローズマリー抽出物から直接結晶化することが経済的に魅力のないものとなる。
【０００５】
純度のより高いカルノソール、およびそれを得るための簡単で効率的な方法が必要とされている。
【０００６】
[発明の詳細な説明]
本発明は、カルノソールを少なくとも５％含む溶液からカルノソールを結晶化する新規方法であって、溶液と酢酸を接触させて、カルノソール結晶を生成するステップを含む方法に関する。次いで、所望される場合、濾過および乾燥などの通常の方法を使用して、結晶を抽出物から分別することができる。
【０００７】
溶液は、好ましくは植物抽出物であるが、植物抽出物の生産に由来する廃棄流であってもよい。少なくとも５％のカルノソールが含まれている限り、それは本発明の実施にはクリティカルでない。カルノソール濃度が５％を下回る場合、プロセスが、ある条件下において、結晶化で何らかの成功が認められる可能性があるときでさえ、商業的に実現可能なプロセスとなるのに十分な経済的なものであるという見込みはない。
【０００８】
植物抽出物は、カルノソールを含有する限り、任意の植物種または植物種の混合物に由来するものとすることができる。好ましい実施形態において、ローズマリーまたはセージなど、比較的高量のカルノソールを含有することが知られている植物が、カルノソールの供給源として使用される。多くのものが、種々の生産業者から市販されている。
【０００９】
植物抽出物のタイプ、すなわち水、有機溶媒、超臨界流体（超臨界二酸化炭素など）、またはそれらの混合物は、抽出物がある量のカルノソールを含有する限り本発明の実施には特にクリティカルではない。さらに、本発明の出発材料は、市販されている植物抽出物、および／またはさらなる加工ステップをすでに施した植物抽出物とすることができる。さらに、植物抽出物は、「粗」抽出物であり、比較的低量（すなわち、５〜２０％）のカルノソールを含有し、やはり本発明によるカルノソール結晶の供給源として使用することができる。
【００１０】
結晶化ステップに先立って、所望される場合、抽出物中に存在している可能性があるカルノシン酸をカルノソールに変換してもよい。この任意選択のオプションのステップについての詳細は、同時係属中の欧州特許出願第０８００７３３９.８号明細書および０８１６１７２４．３号明細書に教示される。
【００１１】
通常使用されるいずれの酢酸も使用することができるが、含有量＞９５％の食品用酢酸が好ましい。結晶化の温度は、混合物の凝固点を上回る限りクリティカルではないが、周囲温度が好ましい。抽出物：酢酸の比はクリティカルではないが、１：２から１：１０の比が好ましく、１：３から１：５の比がより好ましい。
【００１２】
本発明をさらに説明するために、以下の非限定的な実施例を記載する。
【００１３】
［実施例１］
［比較例］
市販のローズマリー抽出物Ａ（カルノシン酸４３％、カルノソール１８％）１０ｇを、アセトン４０ｍｌ中、周囲温度で１日撹拌した。カルノソールは結晶化しなかった。
【００１４】
［実施例２］
市販のローズマリー抽出物Ａ（カルノシン酸４３％、カルノソール１８％）のローズマリー抽出物１０ｇを、酢酸４０ｍｌ中、周囲温度で１日撹拌した。スラリーを濾過し、結晶を酢酸８ｍｌで洗浄した。結晶を真空中７０℃で乾燥した。純度７８％のカルノソール１．９６ｇが得られた（収率＝８３％）。
【００１５】
［実施例３］
実施例３ａ〜３ｂは、実施例２と同様に実施された。
【００１６】
【表１】
2012504111.tif 000002
【国際調査報告】
2012504111.tif 000003
2012504111.tif 000004
2012504111.tif 000005
(57)【要約】【課題】誘導骨再生用のバリアを提供する。【解決手段】本発明の誘導骨再生用のバリアは、誘導骨の再生のために、無菌パック状態で、２軸配向されたポリプロピレン（ＢＯＰＰ）のフィルムからなる。【選択図】図１
2012509115.tif 000002
【特許請求の範囲】
【請求項１】
誘導骨再生用のバリアであって、
骨を再生させる目的のために、変化した形態の寸法を有して、２軸配向されたポリプロピレン（ＢＯＰＰ）のフィルムを無菌パック状態で用いることを特徴とする誘導骨再生用のバリア。
【発明の詳細な説明】
【技術分野】
【０００１】
本発明は、特別の外科技術を介して骨組織をガイドした再生に用いられる生体適合性のあるバリアのモデルを対象とする。
【背景技術】
【０００２】
いくつかの生体適合性材料は、誘導骨再生用のバリアとして外科的に用いられる。
ここに示されたモデルは、既成のモデルに比較していくつかの利点を提供する。
【０００３】
（既成のモデル）
これらのモデルは、再生処理の終りに取り除かれる。
これらのモデルは、表面に露出させることができない。
バリアは、雰囲気中に晒すことができないので、瘢痕形成が必要である。
これらのモデルは、通常、ネジまたは鋲を介して位置決めされる。
・・・・・・
これらのモデルは、取り除くために外科手術が必要である。
困難な取り外し。
【発明の概要】
【発明が解決しようとする課題】
【０００４】
本発明は、誘導骨再生用のバリアを提供する。
【課題を解決するための手段】
【０００５】
（本発明のモデル）
組織が赤みを帯びた塊となった後、直ちに取り外しまたは除去せずにおくことができる。
表面を露出させること、または露出さないこともできる。
雰囲気中にバリアを個別に晒して瘢痕形成を行うことができる。
外科的な切開及び縫い合せによって、モデルを保持できる。
柔らかい組織の再生が可能である。
取り除くのに外科手術を必要としない。
容易な取り外し。
【図面の簡単な説明】
【０００６】
【図１】矩形状（２ｃｍ×４ｃｍおよび３．５ｃｍ×４ｃｍ）を示す図である。
【図２】丸い角部を有する矩形状（２ｃｍ×４ｃｍおよび３．５ｃｍ×４ｃｍ）を示す図である。
【図３】正方形状（３．５ｃｍ×３．５ｃｍ）を示す図である。
【図４】丸い角部を有する正方形状（３．５ｃｍ×３．５ｃｍ）を示す図である。
【図５】円形状（直径３ｃｍ）を示す図である。
【図６】楕円形状（３ｃｍ×４ｃｍ）を示す図である。
【図７】８の字形状（４ｃｍ×２ｃｍ）を示す図である。
【発明を実施するための最良の形態】
【０００７】
既成のバリアを用いることの不具合を検証し、かつこの欠点を解消する目的で、本発明のバリアが開発された。このバリアは、２軸配向されたポリプロピレン（ＢＯＰＰ）のフィルムを用いており、この対象物は、同じ目的で使用される共通のバリアにおいて見られる問題及び不具合が表れない。
【０００８】
このバリアは、いくつかの形態でかつ無菌パック状態において示されており、上記バリアは、各診療状況の必要に従って切断することもできる。基本的に、各標準モデルの形態は、図面に記載の寸法で表される。
【０００９】
図１：矩形状（２ｃｍ×４ｃｍおよび３．５ｃｍ×４ｃｍ）
図２：丸い角部を有する矩形状（２ｃｍ×４ｃｍおよび３．５ｃｍ×４ｃｍ）
図３：正方形状（３．５ｃｍ×３．５ｃｍ）
図４：丸い角部を有する正方形状（３．５ｃｍ×３．５ｃｍ）
図５：円形状（直径３ｃｍ）
図６：楕円形状（３ｃｍ×４ｃｍ）
図７：８の字形状（４ｃｍ×２ｃｍ）
【図１】
2012509115.tif 000003
【図２】
2012509115.tif 000004
【図３】
2012509115.tif 000005
【図４】
2012509115.tif 000006
【図５】
2012509115.tif 000007
【図６】
2012509115.tif 000008
【図７】
2012509115.tif 000009
【国際調査報告】
2012509115.tif 000010
2012509115.tif 000011
2012509115.tif 000012